(57)【要約】【課題】合掌貼り形式の背貼り部を有する包装袋に関し、生産性を有し、優れた開封性を有する背貼り包装袋を提供することである。【解決手段】一枚のフィルムの両端縁部の内面同士を合掌状に対向させシールした背貼り部と、該背貼り部と直交する端縁の内面同士をシールし、天地シール部を形成した背貼り包装袋において、前記フィルムが、基材層とシーラント層を積層した積層フィルムからなり前記両端縁部の中、右端縁部に、天地端縁および該天地端縁と連結した天地シール部の一部に、それぞれ切り欠け部が形成され、左端縁部に、摘みとなるフラップが外方向に突出し形成され、前記天地シール部の接着強度が、１〜２５｛Ｎ／１５ｍｍ｝の範囲であることを特徴とする背貼り包装袋である。【選択図】図２
2014015234.tif 000002
【特許請求の範囲】
【請求項１】
一枚のフィルムの両端縁部の内面同士を合掌状に対向させシールした背貼り部と、該背貼り部と直交する端縁の内面同士をシールし、天地シール部を形成した背貼り包装袋において、
前記フィルムが、基材層とシーラント層を積層した積層フィルムからなり、
前記両端縁部の中、右端縁部に、天地端縁および該天地端縁と連結した天地シール部の一部に、それぞれ切り欠け部が形成され、
左端縁部に、摘みとなるフラップが外方向に突出し形成され、
前記天地シール部の接着強度が、１〜２５｛Ｎ／１５ｍｍ｝の範囲であることを特徴とする背貼り包装袋。
【請求項２】
前記シーラント層が、イージーピール性を有する樹脂からなることを特徴とする請求項１記載の背貼り包装袋。
【請求項３】
前記基材層が、一軸延伸フィルムであることを特徴とする請求項１または２記載の背貼り包装袋。
【発明の詳細な説明】
【技術分野】
【０００１】
本発明は、合掌貼り形式の背貼り部を有する包装袋に関し、特に優れた開封性を有する背貼り包装袋に関するものである。
【背景技術】
【０００２】
従来、一枚のフィルムの両端縁部の内面同士を合掌状に対向させた背貼り包装袋の開封方法は、種々の提案がなされている。
【０００３】
例えば、基材層とイージーピール性を有するシーラント層からなる積層フィルムを用いて背貼り部を形成し、該背貼り部に二箇所のノッチを設け、該ノッチ間の背貼り部のシーラント層間を剥がし開封する包装袋の提案がある（特許文献１）。しかし、開封のきっかけが背貼り部に設けたノッチである為、小容量のスティック状ピロー袋などでは、背貼り部にノッチを設けること自体が困難であり、また、ノッチを持って開封する作業が難しい問題がある。
【０００４】
また、背貼り部と平行に包装袋の全長にわたって設けた二本の切れ目線を設け、該切れ目線の端縁に切込みを入れ、該二本の切り目線に沿って裏面側の積層フィルムを引き裂き、二本の切れ目線に挟まれた領域を開口する提案がある（特許文献２）。しかし、開封の際に内容物が飛び出す問題がある。
【０００５】
また、筒状の周方向に折り曲げられたテープ状開封片の長さ方向の延長線上に位置する背貼り部の谷折側フィルムの内縁端より包装袋内部側の非融着に傷痕を設け、引き裂き時に破断するようにしている提案がある（特許文献３）。しかしテープの挿入はコストアップに繋がり、また包装袋が二つに分離されるので、取り扱いが不便である。また包装袋の所定位置に傷痕を設ける場合、包装袋のサイズに合わせて、例えば、金属刃などの位置を変えなければならず、生産コストが、さらにアップする問題がある。
【０００６】
また背貼り部に一対の切れ目線を形成して、開封の際の摘み部とし、摘み部内にあって開封方向と反対側の背貼り部の折れ曲がり基部周辺のフィルムに粗面加工部を形成し、引き裂き易くした提案がある（特許文献４）。フィルム基材であるポリエステルフィルムに粗面ローラで圧着し凹部、または貫通孔を生じさせるために、別途加工工程を必要とする。包装袋の所定位置に傷痕を設けたい場合、包装袋のサイズに合わせて粗面ローラの位置を変えなければならず生産コストがアップする問題がある。
【先行技術文献】
【特許文献】
【０００７】
【特許文献１】特許第４１３１１３８号公報
【特許文献２】特許第４１３９６２０号公報
【特許文献３】特許第４２７２８６９号公報
【特許文献４】特許第３５７８４１９号公報
【発明の概要】
【発明が解決しようとする課題】
【０００８】
本発明は、以上のような状況に鑑みなされたものであり、合掌貼り形式の背貼り部を有する包装袋に関し、生産性を有し、優れた開封性を有する背貼り包装袋を提供することである。
【課題を解決するための手段】
【０００９】
上記の課題を解決するために、発明者らは鋭意検討を行い、本発明を完成した。
【００１０】
本発明の請求項１に係る発明は、一枚のフィルムの両端縁部の内面同士を合掌状に対向させシールした背貼り部と、該背貼り部と直交する端縁の内面同士をシールし、天地シール部を形成した背貼り包装袋において、
前記フィルムが、基材層とシーラント層を積層した積層フィルムからなり、
前記両端縁部の中、右端縁部に、天地端縁および該天地端縁と連結した天地シール部の一部に、それぞれ切り欠け部が形成され、
左端縁部に、摘みとなるフラップが外方向に突出し形成され、
前記天地シール部の接着強度が、１〜２５｛Ｎ／１５ｍｍ｝の範囲であることを特徴とする背貼り包装袋である。
【００１１】
本発明の請求項２に係る発明は、前記シーラント層が、イージーピール性を有する樹脂からなることを特徴とする請求項１記載の背貼り包装袋である。
【００１２】
本発明の請求項３に係る発明は、前記基材層が、一軸延伸フィルムであることを特徴とする請求項１または２記載の背貼り包装袋である。
【発明の効果】
【００１３】
本発明の背貼り包装袋は、背貼り部に突出しているフラップを摘み、横方向に引っ張ることで、天地シール部から剥離し、背貼り部に沿って縦方向に積層フィルムを引き裂くことにより開封するものである。特に開封するために他の素材を用いたり、傷痕などの加工工程を増やす必要がなく、生産コストをアップさせず、生産性を有する背貼り包装袋である。
【００１４】
本発明の請求項１によれば、両端縁部の中、右端縁部に、天地端縁および該天地端縁と連結した天地シール部の一部に、それぞれ切り欠け部を設けることで、天地シール部を剥離しながら、背貼り部の基部を縦方向に積層フィルムを引き裂くことにより開封することができる。右端縁部の天地シール部は、切り欠け部によりシール幅が狭幅になっている。例えば、フラップを摘みながら横方向に引っ張ることで、天シール部を剥離しながら、狭幅シール部を引き裂いていく。狭幅シール部に到達すると引き裂く力が増大され、さらに背貼り部の基部の非シール部を縦方向に引き裂いていく。このようにして背貼り包装袋が引き裂かれる。よって開封することができる。また天地のシール強度を１〜２５Ｎ／１５ｍｍの範囲にすることにより安定して剥がすことができる。また左端縁部の外側にフラップを突出させることで、フラップを摘むことにより開封し易くしたものである。
【００１５】
本発明の請求項２によれば、シーラント層が、イージーピール性を有する樹脂を用いることで、天地シール部を安定して剥離することができる。
【００１６】
本発明の請求項３によれば、基材層が、一軸延伸フィルムから形成されることで、引き裂き性を向上させることができる。開封方向と一軸延伸フィルムの延伸方向を合わせることで開封性を向上することができる。
【図面の簡単な説明】
【００１７】
【図１】背貼り包装袋の製袋前の積層フィルムの状態の一例を示す説明図である。
【図２】図１の積層フィルムを製袋した背貼り包装袋の一例を示す説明図である。
【図３】図２に示した背貼り包装袋を開封する状態の一例を示す説明図である。
【図４】図３の背貼り包装袋を開封した状態の一例を示す説明図である。
【図５】図４の背貼り包装袋を開封した状態の一例を示す説明図である。
【図６】本発明の積層フィルムの一例を示す説明図である。
【発明を実施するための形態】
【００１８】
図１は、背貼り包装袋の製袋前の積層フィルムの状態の一例を示す説明図である。一枚の積層フィルムの両端縁部には、背貼り部を形成する左端縁部２、右端縁部３が形成されている。左端縁部２には、外側にフラップ４が形成されている。また右端縁部３には、天地端縁および該天地端縁と連結した天地シール予定部５，６の一部に、それぞれ切り欠け部７、７´が形成されている。
【００１９】
図２は、図１の積層フィルムを製袋した背貼り包装袋の一例を示す説明図である。背貼り部８は、左端縁部、右端縁部が合掌貼り形式にシールされている。左端縁部には、連続して突出したフラップ４が形成されている。右端縁部３には、天地端縁および該天地端縁と連結した天地シール部の一部にそれぞれ切り欠け部７、７´が形成されている。天地シール部１０には、切り欠け部によりシール幅を狭くした狭幅シール部９が形成されている。
【００２０】
図３は、図２に示した背貼り包装袋を開封する状態の一例を示す説明図である。例えば、開封する際には、フラップ４を摘み、フラップ側横方向Ａに引っ張ることで、開封することができる。例えば、引っ張ると、右端縁部３の天シール部１０が剥離され、次いで狭幅シール部９が引き裂かれ、その引き裂きと同時に、背貼り部８の基部の非シール部１２が背貼り部に沿って、縦方向に引き裂かれる。即ち積層フィルムが引き裂かれる。
【００２１】
図４は、図３の背貼り包装袋を開封した状態の一例を示す説明図である。天シール部１０を剥離させながら積層フィルムを縦方向に引き裂き、かつ地シール部１１も剥離されながら開封される。安定して開封が可能である。
【００２２】
図５は、図４の背貼り包装袋を開封した状態の一例を示す説明図である。図４の背貼り包装袋の開封後の状態の一例を示す説明図である。開封された背貼り包装袋は、二つに分離されることはなく、取り扱いが容易である。
【００２３】
図６は、本発明の積層フィルムの一例を示す説明図である。積層フィルム１は、基材層２０とシーラント層２２が積層されている。また基材層２０とシーラント層２２との間に接着層２１を介することにより強固に接着できる。また積層フィルムの諸物性、例えば酸素ガス、水蒸気などのガスバリア性、隠蔽性、剛性などの向上が必要になれば、基材層とシーラント層の間に中間層を設けることができる。中間層には、要求品質に見合うように積層すればよい。またシーラント層には、イージーピール性を有した樹脂を使用するのが好ましい。
【００２４】
更に発明を実施するための形態を詳しく説明する。
【００２５】
基材層２０としては、フィルム状のものであって、二軸延伸ポリエステルフィルム、二軸延伸ナイロンフィルム、二軸延伸プロピレンフィルムなどが挙げられる。またガスバリア性が必要であれば、これらのフィルムに金属酸化物を蒸着、アルミニウムを蒸着したものなどが使用できる。また一軸延伸ポリエステルフィルム、一軸延伸ナイロンフィルム、一軸延伸ポリプロピレンフィルムなどを使用することにより、更に引き裂き性を向上させることができる。開封方向と延伸方向を合わせるように一軸延伸フィルムを積層することにより可能である。
【００２６】
また基材層に、例えば、帯電防止剤、紫外線吸収剤、可塑剤、滑剤、着色剤などの公知の添加剤を加えることができる。必要に応じて適宜添加できる。さらに基材の裏面をコロ
ナ放電処理、アンカーコート処理などの表面処理を行うことにより、シーラント層との接着性を向上させることができる。
【００２７】
シーラント層２２としては、熱によって溶融し相互に融着し得る低密度ポリエチレン、中密度ポリエチレン、高密度ポリエチレン、直鎖状低密度ポリエチレン、ポリプロピレン、ポリスチレン、エチレン−酢酸ビニル共重合体、アイオノマー樹脂、エチレン−アクリル酸共重合体、エチレン−アクリル酸メチル共重合体、エチレン−メタクリル酸共重合体、エチレン−プロピレン共重合体などの樹脂単体もしくはこれら樹脂の混合樹脂が使用できる。シーラント層は、これらの樹脂を押出し機により製膜したフィルムからなる。フィルムは、単層または多層でもよく、その厚みは１０〜６０μｍの範囲、好ましくは１５〜３０μｍの範囲に設定するとよい。
【００２８】
シーラント層には、内容物を密封するシール強度およびイージーピール性が必要になる。
シール強度としては、１〜２５｛Ｎ／１５ｍｍ｝の範囲が好ましい。シール強度が、１Ｎ／１５ｍｍ未満であると、落下や外部からの衝撃などに対し強度不足になる心配がある。また２５Ｎ／１５ｍｍを超えると開封性が難しくなる。
【００２９】
イージーピール性の特性については、特に限定されず、凝集剥離タイプ、層間剥離タイプを用いてもよい。
【００３０】
凝集破壊タイプは、シーラント層自体が凝集破壊するタイプで、ポリプロピレン、ポリエチレン、ポリスチレンなどの樹脂を混合した樹脂を用いて、フィルム化し、基材層に積層したり、またはこの樹脂の塗工液を塗布することにより使用することができる。
【００３１】
層間剥離タイプは、共押出し法にて三層フィルムを作成し、中間から剥離するものである。この共押出しフィルムを使用することもできる。
【００３２】
接着層２１としては、ウレタン系接着剤などを用いたドライラミネート法またはポリエチレン樹脂による押出しラミネート法を用いることができる。基材層とシーラント層を貼り合わせることができる。特にドライラミネート法は、接着力を強固にすることができるため、積層フィルムの引き裂き性を向上させることができる。
【００３３】
また積層フィルムの諸物性を向上させる場合は、基材層とシーラント層との間に中間層を積層させるとよい。例えば、積層フィルムの剛性付与には、ナイロンフィルム、ポリエステルフィルムなどが好ましい。またガスバリア性付与には、この中間層にも、ガスバリア性を有するフィルムを使用すればよい。
【００３４】
また必要に応じて、基材層の表面または裏面に印刷を行い、絵柄、文字表現を行うことができる。印刷する方法としては、グラビア印刷、オフセット印刷、フレキソ印刷、凸版印刷、インクジェット印刷など、通常使用される公知の方式で可能である。
【００３５】
本発明の背貼り包装袋の製造について説明する。
【００３６】
基材層の所定の部位に、レーザー加工や、金属刃を用いて二本の折り曲げ線（図には示していない）を形成する。この折り曲げ線は、製袋する際に、合掌貼り形式の背貼りをし易くしたり、また内容物を充填し易くするためのものである。しかし、特に必要がなければ、形成しなくともよい。次いで基材層とシーラント層を積層するために、シーラント層を、接着剤を介してドライラミネート法にて貼り合わせ、積層フィルムを作成する。その後、積層フィルムを所定の幅にスリットし、所定幅の積層フィルムを製袋機に通しながら
、積層フィルムの右端縁部の天地端縁および該天地端縁と連結した天地シール予定部の一部に、それぞれ切り欠け部を形成する。その後、左端縁部と重ね合わせ、合掌貼り形式にシールして背貼り部を形成する。この際、左端縁部に摘みとなるフラップを外側に突出するように形成する。その後、背貼り部と直交する端縁の内面同士をシールして天地シール部を形成する。密封された背貼り包装袋が形成される。右端縁部の天地シール部には、切り欠け部により、狭幅シールが形成される。
【００３７】
また、切り欠け部を形成するには、トムソン抜き刃や金属刃によるプレス抜き加工などにより行うことができる。
【００３８】
本発明の背貼り包装袋は、フラップを摘み、フラップ側横方向に引っ張ることで、安定して開封することができる。また開封後も包装袋が二つに分離されず取り扱いがよい。開封用の他の素材を用いたり、また傷痕などの加工工程を増やすことがなく、生産性がよい背貼り包装袋である。
【００３９】
以下に、本発明の具体的実施例について説明する。
【実施例１】
【００４０】
基材層としてポリエステルフィルム１２μｍと、シーラント層として、ポリエチレン樹脂／ポリプロピレン樹脂を混合したポリエチレン樹脂系フィルム３０μｍを、二液反応型ウレタン系接着剤を用いドライラミネート法により貼り合わせ、積層フィルムを作成した。
【００４１】
この積層フィルムを製袋機上で横方向６０ｍｍ、縦方向２４ｍｍの背貼り包装袋を作成した。包装袋の形状としては、右端縁部の天地端縁および該天地端縁に連結した天地シール部の一部に、それぞれ切り欠け部を形成した。切り欠け部は、横方向８ｍｍ、縦方向３ｍｍで形成した。次いで背貼り部を横方向５ｍｍ、縦方向１８ｍｍ、またフラップを横方向７ｍｍ、縦方向２４ｍｍにて形成した。また天地シール部は、シール幅５ｍｍとした。図２に示すような背貼り包装袋を作成した。
【実施例２】
【００４２】
基材層に一軸延伸ポリエステルフィルム１２μｍを用い、延伸方向を積層フィルムの引き裂き方向に合わせて積層フィルムを作成した以外は、実施例１と同様に行い背貼り包装袋を作成した。
【００４３】
以下、具体的比較例について説明する。
【００４４】
＜比較例１＞
切り欠け部を形成しない以外は、実施例１と同様に行って背貼り包装袋を作成した。
【００４５】
＜比較例２＞
シーラント層として、ポリエチレンフィルム２０μｍを用いた以外は、実施例１と同様に行って背貼り包装袋を作成した。
【００４６】
＜評価方法＞
・シール強度：サンプル１５ｍｍ幅、引張速度３００ｍｍ／ｍｉｎ、１８０°剥離、テンシロン測定機を使用。シール強度は、Ｎ／１５ｍｍで示す。
・開封性：背貼り包装袋のフラップを掴み、フラップ側横方向に引っ張り、引き裂かれ開封出来たものを○。開封出来なかったものを×とした。
【００４７】
＜評価結果＞
表１に結果を示す。
【００４８】
【表１】
2014015234.tif 000003
実施例１および２では、シール強度が、１０Ｎ／１５ｍｍを示した。また開封性も良好であった。しかし比較例１では、切り欠け部がないために、開封できなかった。また比較例２では、シール強度が３０Ｎ／１５ｍｍを示し剥離ができず開封できなかった。
【００４９】
本発明の背貼り包装袋は、ガムなどの固形物に最適である。特にガムの包装袋としては、使用後に包み紙として使用できる。また包装袋の縦ピロー袋、横ピロー袋、また三方シール袋などに使用できる。
【符号の説明】
【００５０】
１    積層フィルム
２    左端縁部
３    右端縁部
４    フラップ
５    天シール予定部
６    地シール予定部
７    切り欠け部
７´  切り欠け部
８    背貼り部
９    狭幅シール部
１０  天シール部
１１  地シール部
１２  非シール部
２０  基材層
２１  接着層
２２  シーラント層
３０  背貼り包装袋
Ａ    引っ張る方向
【図１】
2014015234.tif 000004
【図２】
2014015234.tif 000005
【図３】
2014015234.tif 000006
【図４】
2014015234.tif 000007
【図５】
2014015234.tif 000008
【図６】
2014015234.tif 000009